(57)【要約】【課題】画像形成装置から排出される有害揮発性物質・臭い・ＶＯＣなどのケミカルエミッションを低減させ画像形成装置のまわりの環境を良好に保つ。【解決手段】転写紙の排出口付近にマイナスイオン発生器を設け転写紙と一緒に排出されるケミカルエミッションを分解・無害化する。またマイナスイオン発生装置を、転写紙が排出されてから一定時間動作させるように制御したり、臭いセンサー等を配置してその信号により動作させるようにする。【選択図】        図１
2005055515.tif 000002
【特許請求の範囲】
【請求項１】
転写紙に画像を形成する画像形成装置において、マイナスイオン発生装置を設けこの画像形成装置の稼動時あるいは稼動後一定時間経過するまでマイナスイオン発生器を動作させ画像形成装置の付近の空気を良好な環境に保つようにした画像形成装置。
【請求項２】
排紙口付近にマイナスイオン発生装置を配置し、転写紙と一緒に排出されるケミカルエミッション物質を分解または無害化するようにした画像形成装置。
【請求項３】
前記排紙口より転写紙が排出してから一定時間マイナスイオン発生装置を動作させるようにした請求項２の画像形成装置。
【請求項４】
装置周辺の雰囲気を検知するセンサーを設けその検知信号によりマイナスイオン発生装置をＯＮ／ＯＦＦ制御するようにした請求項１の画像形成装置。
【発明の詳細な説明】
【０００１】
【発明の属する技術分野】
本発明は転写紙に画像を形成させる画像形成装置に関し、特にその周辺の環境を良好な状態に保つ技術に関する。
【０００２】
【従来の技術】
近年、シックハウス症候群や化学物質過敏症などの健康被害の問題が注目され、室内で使用する電子機器類にも、環境を良好に保つため個々の電子機器から発生する特有な臭い・ＶＯＣなどの有害な揮発性化学物質の排出（ケミカルエミッション）の制限を考慮することが必要になってきている。また電子機器から発生する電磁波も部屋の中のプラスイオンを増加させ環境を悪化させる要因になる。
従来、画像形成装置内の感光ドラム・現像器・定着器等の周辺の空気を、フィルターを介し排気ファンで装置外へ排出するようにしていた。フィルターで化合物を除去する方法としては、例えば、特開２００１−３５０３７５号公報には、吸引エア排気口に吸引エア用オゾンフィルタを設けることで、オゾンを取り除くことが記載されている。
【０００３】
【特許文献１】
特開２００１−３５０３７５号公報
【０００４】
【発明が解決しようとする課題】
しかし、フィルターで吸着しきれないものがあり、またケミカルエミッションは装置枠体などの構成材料だけでなく、転写紙・現像トナー・定着オイル等が定着器等で温まって発生するものが多く排出口より転写紙と供に排出されまだ温かい転写紙の上に高濃度で滞留する確率が高い。それが部屋全体の環境に悪影響を及ぼすことも考えられる。
【０００５】
【課題を解決するための手段】
このため画像形成装置にマイナスイオン発生装置を設けこれによりケミカルエミッション物質を分解または無害化し、さらにプラスイオンが多くなった周辺の空気をマイナスイオン化しこの周辺の環境を良好にたもつようにする。排出口等画像形成装置付近に高濃度に滞留するケミカルエミッションに対応することを主な目的とするならば、マイナスイオン発生装置の容量を比較的小さなものとし、画像形成装置の動作に合わせて稼動するように設定することも可能となる。
【０００６】
【発明の実施の形態】
図１は本発明の実施例の断面図で、図３はその動作を説明する図である。
コピーボタンが押されるなどしてコピー開始信号が出ると、転写紙は給紙部１より給紙され、搬送路２を経て転写部３で現像器４により感光ドラム５上に形成されたトナー像を転写され、定着器６により定着され排紙口７からトレイ８上に排出・積載される。排紙口７近傍にトレイ８上に積載された転写紙上の空間にマイナスイオンを放出するようにマイナスイオン発生装置９が配置されており、排紙口７に配置された排紙センサー１０により転写紙の通過を検知するとその時点から一定時間（Ｔ秒）マイナスイオン発生装置９の電源がＯＮになり稼動するように設定されている。また予め設定された時間（ｔ秒）内に排紙センサー１０を通過した転写紙が予め設定された枚数（Ｎ枚）以上に達した時は先に設定された時間（Ｔ秒）より長い時間（Ｔ１秒）マイナスイオン発生装置がＯＮになるようになっている。この時間（Ｔ１秒）はマイナスイオン発生装置がＯＦＦになると解除されその後排紙センサー１０を転写紙が通過し、このマイナスイオン発生装置がＯＮしたときからは先の設定時間（Ｔ秒）を経過してからＯＦＦされるようになっている。
【０００７】
また、図２のようにトレイ８付近の空気の臭いを検知する臭いセンサー１１を設け、この臭いセンサー１１により臭いを検知している間はマイナスイオン発生装置９をＯＮさせるようにすることができる（図４は動作説明図）。
【０００８】
画像形成装置から発生する特有の気になる臭いを検知できる臭いセンサーであればより効率よくマイナスイオン発生装置９を動作させることが可能となる。
【０００９】
図５も本発明実施例の画像形成装置の前視図である。転写紙の排出口が奥まった位置に配置された例でありケミカルエミッション物質がより停滞しやすくなる構成のものの例である。
【００１０】
本実施例ではイオン化針を用いた電子放射式を想定しているが、原理的に水イオン化方式やコロナ放電式でも良い。しかしコロナ帯電方式は若干オゾンを発生するので密閉された装置の中で使用するように配置した方が好ましい。
【００１１】
【発明の効果】
このようにマイナスイオン発生器を使用しトレイ８上の空気中のプラスイオンをマイナスイオンで中和しまたＶＯＣ・臭いのもとになる物質などのケミカルエミッション物質の分解を行うことにより画像形成装置の周りの環境を良好な状態に保つことができる。ケミカルエミッション物質はそのままにしておくと部屋全体に広がる性質のものであるのでこのような電子機器からの排出を減少させることが重要であり、転写紙の排出時一緒に装置外へ出てきてしまうものを周囲に拡散しきれないうちに分解・無害化することが可能となる。
【００１２】
また、マイナスイオンは気分をリラックスさせ仕事の効率等にも良い影響を与える。
【００１３】
トレイ８の近傍にトルマリン鉱石などを配置する方法も考えられる。トルマリン鉱石は光によって空気中の水分に作用してマイナスイオンを発生させるので外光が入ってくるように配置する必要がある。しかし、外光が入りにくい状況では、その代わり小さな照明等を用いることも可能で、それを本実施例のようにＯＮ／ＯＦＦ制御する方法も考えられる。
【図面の簡単な説明】
【図１】本発明実施例の断面図
【図２】臭いセンサーを設けた実施例の一部断面図
【図３】本発明実施例の動作説明図
【図４】臭いセンサーを設けた実施例の動作説明図
【図５】別の本発明実施例前視図
【符号の説明】
１  給紙部
２  搬送路
３  転写部
４  現像器
５  感光ドラム
６  定着器
７  排紙口
８  トレイ
９  マイナスイオン発生装置
１０  排紙センサー
１１  臭いセンサー
【図１】
2005055515.tif 000003
【図２】
2005055515.tif 000004
【図３】
2005055515.tif 000005
【図４】
2005055515.tif 000006
【図５】
2005055515.tif 000007